【手続補正書】
【提出日】平成28年6月15日(2016.6.15)
【手続補正１】
【補正対象書類名】特許請求の範囲
【補正対象項目名】全文
【補正方法】変更
【補正の内容】
【特許請求の範囲】
【請求項１】
基板処理システムであって、
ヘッド部およびステム部を有し、前駆体ガスをチャンバに供給するシャワーヘッドを備え、
前記ヘッド部は、上面と、側面と、複数の孔を有する下方平面と、それらで画定される円筒状空洞と、を有し、
前記ヘッド部は、前記ステム部の一端から径方向外側に沿って前記チャンバの側壁に向かって延びて、前記ヘッド部の前記上面と前記チャンバの上面との間の空洞を画定し、
前記ヘッド部の前記円筒状空洞は、前記ステム部を介してプロセスガスを受け取り、
前記円筒状空洞内の前記プロセスガスは、前記下方平面の前記複数の孔から流れ出て前記チャンバ内に分配され、
前記基板処理システムは、更に、前記シャワーヘッドを、前記ステム部の反対側の端部に隣接する前記チャンバの上面に結合するカラーを備え、
前記カラーは、ベース部と、ステム部と、複数のスロットを備え、前記シャワーヘッドの前記ステム部の周りに配置され、前記シャワーヘッドの前記ヘッド部と前記チャンバの前記上面との間の前記空洞に前記複数のスロットを通してパージガスを方向付け、
前記基板処理システムは、更に、前記シャワーヘッドの前記ステム部を受け入れる開口部を有する第１プレートを備え、
前記第１プレートは、（ｉ）前記カラーの前記ステム部の下端であって、前記複数のスロットよりも下側の位置と、（ｉｉ）前記シャワーヘッドの前記ヘッド部と、の間に設けられている、
基板処理システム。
【請求項２】
請求項１に記載の基板処理システムであって、
前記カラーの前記ステム部は、前記シャワーヘッドの前記ステム部を受け入れる内部空洞を規定する、基板処理システム。
【請求項３】
請求項１に記載の基板処理システムであって、前記カラーは、前記第１プレートと前記シャワーヘッドの前記ステム部との間、および、前記第１プレートと前記シャワーヘッドの前記ヘッド部との間に、前記パージガスを方向付ける、基板処理システム。
【請求項４】
請求項１に記載の基板処理システムであって、前記第１プレートの１つの表面が、前記第１プレートと前記シャワーヘッドの前記ヘッド部との間に均一な間隔を提供するための複数の第１の突起を備え、前記開口部は、前記第１プレートと前記シャワーヘッドの前記ステム部との間に均一な間隔を提供するための複数の第２の突起を備える、基板処理システム。
【請求項５】
請求項２に記載の基板処理システムであって、
前記カラーは、前記カラーの前記ベース部に配置された第１の通路を備え、
前記カラーは、前記カラーの前記ステム部の前記内部空洞の表面と前記シャワーヘッドの前記ステム部との間に規定された第２の通路を備え、
前記パージガスは、前記第１の通路を通って前記第２の通路に流れ、前記第２の通路から前記スロットを通って流れる、基板処理システム。
【請求項６】
請求項２に記載の基板処理システムであって、前記カラーの前記ステム部は、円形の断面を有する、基板処理システム。
【請求項７】
請求項２に記載の基板処理システムであって、
前記カラーは、前記カラーの前記ベース部に配置された第１の通路を備え、
前記カラーは、前記カラーの前記ステム部に配置された第２の通路を備え、
前記パージガスは、前記第１の通路を通って前記第２の通路に流れ、前記第２の通路から前記スロットを通って流れる、基板処理システム。
【請求項８】
請求項１に記載の基板処理システムであって、さらに、
前記第１プレートを含み、前記シャワーヘッドの前記ヘッド部と前記チャンバの前記上面との間で前記シャワーヘッドの前記ステム部の周りに配置されたＮ個の誘電体プレートを備え、
前記カラーは、前記Ｎ個の誘電体プレートの上方および下方ならびに前記Ｎ個の誘電体プレートの間の内の少なくとも一箇所に前記パージガスを方向付け、
Ｎはゼロより大きい整数である、基板処理システム。
【請求項９】
請求項２に記載の基板処理システムであって、前記空洞は、第１の周囲の周りに互いに離間して配置された複数の第１の面と、前記複数の第１の面の間に配置された複数のアーチ形の面とを規定し、
前記複数のアーチ形の面は、前記複数の第１の面から半径方向外向きに湾曲している、基板処理システム。
【請求項１０】
請求項１に記載の基板処理システムを備える原子層蒸着システム。
【手続補正２】
【補正対象書類名】明細書
【補正対象項目名】発明の名称
【補正方法】変更
【補正の内容】
【発明の名称】基板処理システム及び原子層蒸着システム
【手続補正３】
【補正対象書類名】明細書
【補正対象項目名】００３９
【補正方法】変更
【補正の内容】
【００３９】
図１によると、シャワーヘッド７０を有する処理チャンバ６０を備えた基板処理システム５０の一例が示されている。シャワーヘッド７０は、ステム部７２およびヘッド部７４を備える。ヘッド部７４は、内部空洞７５を規定している。前駆体またはパージガスなどの流体が、ステム部７２を通って拡散プレート７６上に流れ、内部空洞７５内へと流入する。次いで、流体は、ヘッド部７４の下面にある離間された複数の孔７８を通って処理チャンバ内に入る。
【手続補正４】
【補正対象書類名】明細書
【補正対象項目名】００４０
【補正方法】変更
【補正の内容】
【００４０】
シャワーヘッド７０のステム部７２は、カラー（環状部材）８０によって処理チャンバ６０の上壁に結合されている。カラー８０は、略「Ｔ」形の断面を有しており、ベース部８１およびステム部８３を備える。カラー８０は、シャワーヘッド７０のステム部７２を受け入れる円筒形の内部空洞８４を規定している。パージガスなどの流体が内部空洞８４からステム部８３の外面へと流れることができるように、複数のスロット８６がステム部８３に形成されている。
【手続補正５】
【補正対象書類名】明細書
【補正対象項目名】００４１
【補正方法】変更
【補正の内容】
【００４１】
流体コネクタ９０が、カラー８０のベース部８１の縁部に結合されてよく、パージガスなどの流体を供給するために用いられる。流体コネクタ９０は、１または複数の導管および／またはコネクタ（全体として符号９２で示されている）を備える。カラー８０のベース部８１は、同様に、カラー８０の内部空洞８４に流体の流れを方向付けるために、導管および／またはコネクタ（全体として符号９３で示されている）を備える。
【手続補正６】
【補正対象書類名】明細書
【補正対象項目名】００４４
【補正方法】変更
【補正の内容】
【００４４】
ここで、図２によると、カラー８０の一例が示されている。カラー８０は、ベース部８１およびステム部８３を備える。スロット８６は、アーチ形であってよく、ステム部８３の周りに配置されてよい。スロット８６は、流体がスロット８６を通って内部空洞８４から流れ出ることを可能にする。ベース部８１は、流体コネクタ９０上の対応するはめ合い部とはめ合うはめ合い部１１８を備えてよい。結合されると、カラー８０の導管９３は、流体コネクタ９０の導管９２と整列される。
【手続補正７】
【補正対象書類名】明細書
【補正対象項目名】００５１
【補正方法】変更
【補正の内容】
【００５１】
ここで、図８によると、別の例のカラー３００が示されている。カラー３００は、ベース部３１０と、複数のスロット３１４を備えたステム部３１２とを備える。中央空洞３１８が、シャワーヘッド７０のステム部７２を受け入れる。中央空洞３１８は、実質的に第１の直径に沿って配置された第１の複数の面３２０を備える。半径方向外向きに湾曲した複数のアーチ形の面３２２が、第１の複数の面３２２の間に配置されており、より広い面積で流体を受け入れるようになっている。
【手続補正８】
【補正対象書類名】明細書
【補正対象項目名】００５５
【補正方法】変更
【補正の内容】
【００５５】
カラー４２０が、ベース部４２２と、複数のスロット４２８を備えたステム部４２４とを備える。中央空洞４２６が、シャワーヘッド７０のステム部７２を受け入れ、流体が流れるさらなる空間を提供する。中央空洞４２６内の流体が、スロット４２８を通ってプレート４０４および４１０の間に流れる。プレート４０４は、プラズマを抑制すると共に、プレート、カラーなどの間の様々な位置でプラズマが維持される可能性を低減する。
【手続補正９】
【補正対象書類名】明細書
【補正対象項目名】００６１
【補正方法】変更
【補正の内容】
【００６１】
上述の記載は、本質的に例示に過ぎず、本開示、応用例、または、利用法を限定する意図はない。本開示の広範な教示は、様々な形態で実施されうる。したがって、本開示には特定の例が含まれるが、図面、明細書、および、以下の特許請求の範囲を研究すれば他の変形例が明らかになるため、本開示の真の範囲は、それらの例には限定されない。わかりやすいように、図面では、同様の要素を特定する際には同じ符号を用いている。本明細書で用いられているように、「Ａ、Ｂ、および、Ｃの少なくとも１つ」という表現は、非排他的な論理和ＯＲを用いて、論理（ＡまたはＢまたはＣ）を意味すると解釈されるべきである。方法に含まれる１または複数の工程が、本開示の原理を改変することなく、異なる順序で（または同時に）実行されてもよいことを理解されたい。
また、本発明は、以下の適用例としても実現可能である。
［適用例１］
基板処理システムであって、
ベース部およびステム部を備え、前駆体ガスをチャンバに供給するシャワーヘッドと、
前記シャワーヘッドを前記チャンバの上面に結合するカラーと、
を備え、
前記カラーは、複数のスロットを備え、前記シャワーヘッドの前記ステム部の周りに配置され、前記シャワーヘッドの前記ベース部と前記チャンバの前記上面との間の領域内に前記複数のスロットを通してパージガスを方向付ける、基板処理システム。
［適用例２］
適用例１に記載の基板処理システムであって、
前記カラーは、ベース部およびステム部を備え、
前記カラーの前記ステム部は、前記シャワーヘッドの前記ステム部を受け入れる内部空洞を規定する、基板処理システム。
［適用例３］
適用例２に記載の基板処理システムであって、さらに、
前記シャワーヘッドの前記ステム部を受け入れる開口部を備えたプレートを備え、
前記プレートは、前記カラーの前記ステム部の下縁と前記シャワーヘッドの前記ベース部との間に配置される、基板処理システム。
［適用例４］
適用例３に記載の基板処理システムであって、前記カラーは、前記プレートと前記シャワーヘッドの前記ステム部との間、および、前記プレートと前記シャワーヘッドの前記ベース部との間に、前記パージガスを方向付ける、基板処理システム。
［適用例５］
適用例３に記載の基板処理システムであって、前記プレートの１つの表面が、前記プレートと前記シャワーヘッドの前記ベース部との間に均一な間隔を提供するための複数の第１の突起を備え、前記開口部は、前記プレートと前記シャワーヘッドの前記ステム部との間に均一な間隔を提供するための複数の第２の突起を備える、基板処理システム。
［適用例６］
適用例２に記載の基板処理システムであって、
前記カラーは、前記カラーの前記ベース部に配置された第１の通路を備え、
前記カラーは、前記カラーの前記ステム部の前記内部空洞の表面と前記シャワーヘッドの前記ステム部との間に規定された第２の通路を備え、
前記パージガスは、前記第１の通路を通って前記第２の通路に流れ、前記第２の通路から前記スロットを通って流れる、基板処理システム。
［適用例７］
適用例２に記載の基板処理システムであって、前記カラーの前記ステム部は、円形の断面を有する、基板処理システム。
［適用例８］
適用例２に記載の基板処理システムであって、
前記カラーは、前記カラーの前記ベース部に配置された第１の通路を備え、
前記カラーは、前記カラーの前記ステム部に配置された第２の通路を備え、
前記パージガスは、前記第１の通路を通って前記第２の通路に流れ、前記第２の通路から前記スロットを通って流れる、基板処理システム。
［適用例９］
適用例１に記載の基板処理システムであって、さらに、
前記シャワーヘッドの前記ベース部と前記チャンバの前記上面との間で前記シャワーヘッドの前記ステム部の周りに配置されたＮ個の誘電体プレートを備え、
前記カラーは、前記Ｎ個の誘電体プレートの上方および下方ならびに前記Ｎ個の誘電体プレートの間の内の少なくとも一箇所に前記パージガスを方向付け、
Ｎはゼロより大きい整数である、基板処理システム。
［適用例１０］
適用例２に記載の基板処理システムであって、前記空洞は、第１の周囲の周りに互いに離間して配置された複数の第１の面と、前記複数の第１の面の間に配置された複数のアーチ形の面とを規定し、
前記複数のアーチ形の面は、前記複数の第１の面から半径方向外向きに湾曲している、基板処理システム。
［適用例１１］
適用例１に記載の基板処理システムを備える原子層蒸着システム。
［適用例１２］
基板処理システムを動作させるための方法であって、
ベース部およびステム部を備えたシャワーヘッドを用いて、前駆体ガスをチャンバに供給する工程と、
前記シャワーヘッドの前記ステム部の周りに配置されたカラーを用いて、前記シャワーヘッドを前記チャンバの上面に結合する工程と、
前記カラーのスロットを通して前記シャワーヘッドの前記ベース部と前記チャンバの前記上面との間の領域にパージガスを供給する工程と、
を備える、方法。
［適用例１３］
適用例１２に記載の方法であって、
前記カラーは、ベース部およびステム部を備え、
前記カラーの前記ステム部は、前記シャワーヘッドの前記ステム部を受け入れる内部空洞を規定する、方法。
［適用例１４］
適用例１３に記載の方法であって、さらに、
前記シャワーヘッドの前記ステム部を受け入れる開口部を備えたプレートを、前記カラーの前記ステム部の下縁と前記シャワーヘッドの前記ベース部との間に配置する工程を備える、方法。
［適用例１５］
適用例１４に記載の方法であって、さらに、前記プレートと前記シャワーヘッドの前記ステム部との間、および、前記プレートと前記シャワーヘッドの前記ベース部との間に、前記パージガスを方向付ける工程を備える、方法。
［適用例１６］
適用例１４に記載の方法であって、さらに、
複数の突起を用いて、前記シャワーヘッドの前記ベース部および前記ステム部から前記プレートを離間する工程を備える、方法。
［適用例１７］
適用例１３に記載の方法であって、さらに、
前記カラーの前記ベース部に第１の通路を提供すると共に、前記カラーの前記ステム部の前記空洞の内面と前記シャワーヘッドの前記ステム部との間に第２の通路を提供する工程と、
前記第１の通路を通して前記第２の通路に、次いで、前記第２の通路から前記スロットを通して、前記パージガスを流す工程と、
を備える、方法。
［適用例１８］
適用例１３に記載の方法であって、前記カラーの前記ステム部は、円形の断面を有する、方法。
［適用例１９］
適用例１３に記載の方法であって、さらに、
前記カラーの前記ベース部に第１の通路を提供すると共に、前記カラーの前記ステム部に第２の通路を提供する工程と、
前記第１の通路を通して前記第２の通路に、次いで、前記第２の通路から前記スロットを通して、前記パージガスを流す工程と、
を備える、方法。
［適用例２０］
適用例１２に記載の方法であって、さらに、
前記シャワーヘッドの前記ベース部と前記チャンバの表面との間で前記シャワーヘッドの前記ステム部の周りにＮ個の誘電体プレートを配置する工程と、
前記カラーを用いて、前記Ｎ個の誘電体プレートの上方および下方ならびに前記Ｎ個の誘電体プレートの間の内の少なくとも一箇所に前記パージガスを方向付ける工程と、
を備え、
Ｎはゼロより大きい整数である、方法。
［適用例２１］
適用例１２に記載の方法であって、前記基板処理チャンバは原子層蒸着を実行する、方法。
［適用例２２］
方法であって、
基板処理システムのチャンバ内に基板を配置する工程であって、
前記基板処理システムは、カラーを用いて前記基板処理システムの上面に取り付けられたシャワーヘッドを備える、工程と、
第１の所定の期間にわたって前記基板を第１の前駆体に暴露させる工程と、
前記第１の所定の期間後に、主パージ路および補助パージ路を通してパージガスを流す工程であって、
前記主パージ路は、前記シャワーヘッドを通して前記パージガスを流し、
前記補助パージ路は、前記カラーのスロットを通して前記シャワーヘッドのベース部と前記上面との間に前記パージガスを流し、
前記補助パージ路は、前記第１の前駆体を除去する、工程と、
第２の所定の期間にわたって前記基板を第２の前駆体に暴露させる工程と、
を備える、方法。
［適用例２３］
適用例２２に記載の方法であって、さらに、
前記第２の所定の期間後に、前記主パージ路および前記補助パージ路を通して前記パージガスを流す工程を備え、
前記補助パージ路は、前記シャワーヘッドの前記ベース部と前記チャンバの前記上面との間の前記第２の前駆体を除去する、方法。
［適用例２４］
適用例２２に記載の方法であって、さらに、前記第１の所定の期間中に前記補助パージ路を通して前記パージガスを流す工程を備える、方法。
［適用例２５］
適用例２３に記載の方法であって、さらに、前記第２の所定の期間中に前記補助パージ路を通して前記パージガスを流す工程を備える、方法。